(57)【要約】  液晶ディスプレイのようなディスプレイに、カーテンムラを最小にする構造が設けられる。ディスプレイは、上部偏光子(22)及び下部偏光子(24)を有する。上部偏光子と下部偏光子との間にはカラーフィルタ層(12)及び薄膜トランジスタ層(14)が配置される。カラーフィルタ層と薄膜トランジスタ層との間には液晶層(16)が介在される。複屈折補償層(62)を含む第１の光学的膜層(18)が上部偏光子とカラーフィルタ層との間に配置される。複屈折補償層がない第２の光学的膜層(20)が薄膜トランジスタ層と下部偏光子との間に配置される。薄膜トランジスタ層の薄膜トランジスタに信号を分配するため金属信号ライン(66)のグリッドが使用される。信号ラインのグリッドと薄膜トランジスタ層との間にブラックマスク(68)が介在される。【選択図】図１
2013537639.tif 000002
【特許請求の範囲】
【請求項１】
透明な薄膜トランジスタ基板を有する薄膜トランジスタ層と、
前記薄膜トランジスタ基板上の信号ラインのグリッドと、
前記信号ラインのグリッドと前記薄膜トランジスタ基板との間のパターン化されたブラックマスクと、
を備えたディスプレイ。
【請求項２】
カラーフィルタ層と、
前記カラーフィルタ層と前記信号ラインのグリッドとの間に介在された液晶層と、
を更に備えた請求項１に記載のディスプレイ。
【請求項３】
前記液晶層と前記カラーフィルタ層との間に配置された付加的なブラックマスクを更に備えた、請求項２に記載のディスプレイ。
【請求項４】
第１の偏光子と、
第２の偏光子と、
前記第１の偏光子と前記カラーフィルタ層との間に配置された第１の光学的膜層と、
前記第２の偏光子と前記薄膜トランジスタ層との間に配置された第２の光学的膜層と、
を更に備えた請求項２に記載のディスプレイ。
【請求項５】
前記第１の光学的膜層が複屈折補償層を含む、請求項４に記載のディスプレイ。
【請求項６】
前記第１の光学的膜層が複屈折補償層を含み、そして前記第２の光学的膜層には複屈折補償層がない、請求項４に記載のディスプレイ。
【請求項７】
前記第１の光学的膜層が複屈折補償層を含み、前記第２の光学的膜層は、最大屈折率を特徴とし、前記第２の偏光子と前記薄膜トランジスタ層との間には、屈折率が前記最大屈折率より大きい膜がなく、前記薄膜トランジスタ基板層は、屈折率を特徴とし、前記第２の光学的膜層の最大屈折率から前記薄膜トランジスタ基板層の屈折率を差し引くと、０．１５未満の大きさとなる、請求項４に記載のディスプレイ。
【請求項８】
下部偏光子と、
前記下部偏光子と前記薄膜トランジスタ基板との間に介在された光学的膜層と、
を更に備え、前記光学的膜層は、最大屈折率を特徴とし、前記薄膜トランジスタ基板は、屈折率を特徴とし、前記光学的膜層の最大屈折率から前記薄膜トランジスタ基板の屈折率を差し引くと、０．１５未満の大きさとなる、請求項１に記載のディスプレイ。
【請求項９】
前記下部偏光子に隣接してバックライトを更に備えた、請求項８に記載のディスプレイ。
【請求項１０】
カラーフィルタ層と、
前記カラーフィルタ層と前記信号ラインのグリッドとの間に介在された液晶層と、
を更に備えた請求項９に記載のディスプレイ。
【請求項１１】
下部偏光子と、
前記薄膜トランジスタ層と前記下部偏光子との間の光学的膜層と、
を更に備え、前記光学的膜層は、前記薄膜トランジスタ層から前記下部偏光子に向かって通過する光に対して０．２％未満の反射率を示す、請求項１に記載のディスプレイ。
【請求項１２】
カラーフィルタ層と、
前記カラーフィルタ層と前記信号ラインのグリッドとの間に介在された液晶層と、
を更に備えた請求項１１に記載のディスプレイ。
【請求項１３】
前記下部偏光子に隣接するバックライトと、
上部偏光子と、
を更に備え、前記上部偏光子と前記液晶層との間に前記カラーフィルタ層が介在された、請求項１２に記載のディスプレイ。
【請求項１４】
前記上部偏光子と前記カラーフィルタ層との間に複屈折補償層を更に備えた、請求項１３に記載のディスプレイ。
【請求項１５】
上部偏光子と、
カラーフィルタ層と、
薄膜トランジスタ層と、
前記カラーフィルタ層と前記薄膜トランジスタ層との間に介在された液晶材料層と、
下部偏光子と、
前記上部偏光子と前記カラーフィルタ層との間に介在され且つ複屈折補償層を含む第１の光学的膜層と、
前記下部偏光子と前記薄膜トランジスタ層との間に介在された第２の光学的膜層と、
を備え、前記第２の光学的膜層は、最大屈折率を特徴とし、前記下部偏光子と前記薄膜トランジスタ層との間には、屈折率が前記最大屈折率より大きい膜がなく、前記薄膜トランジスタ基板層は、屈折率を特徴とし、前記第２の光学的膜層の最大屈折率から前記薄膜トランジスタ基板層の屈折率を差し引くと、０．１５未満の大きさとなる、ディスプレイ。
【請求項１６】
前記下部偏光子と前記薄膜トランジスタ層との間には複屈折膜がなく、前記下部偏光子に隣接してバックライトを更に備えた、請求項１５に記載のディスプレイ。
【請求項１７】
前記薄膜トランジスタ層は、ガラス基板を含み、前記ディスプレイは、更に、
データライン及びゲートラインを含む信号ラインのグリッドと、
前記信号ラインのグリッドと前記ガラス基板との間のパターン化されたブラックマスクと、
を備え、前記パターン化されたブラックマスクは、前記信号ラインのグリッドと整列される、請求項１６に記載のディスプレイ。
【請求項１８】
薄膜トランジスタのアレイを含む薄膜トランジスタ層と、
カラーフィルタ層と、
前記カラーフィルタ層と前記薄膜トランジスタ層との間に介在された液晶層と、
前記薄膜トランジスタに信号を分配する信号ラインのグリッドと、
前記信号ラインのグリッドと前記薄膜トランジスタ層との間に介在されたブラックマスクと、
を備えたディスプレイ。
【請求項１９】
上部偏光子と、
前記上部偏光子と前記カラーフィルタ層との間に介在され且つ複屈折補償層を含む第１の光学的膜層と、
を更に備えた請求項１８に記載のディスプレイ。
【請求項２０】
下部偏光子と、
前記下部偏光子と前記薄膜トランジスタ層との間に介在された第２の光学的膜層と、
を更に備え、前記第２の光学的膜層は、最大の屈折率を特徴とし、前記下部偏光子と前記薄膜トランジスタ層との間には屈折率が前記最大屈折率より大きい膜がなく、前記薄膜トランジスタ層は、屈折率を特徴とし、前記第２の光学的膜層の最大屈折率から前記薄膜トランジスタ層の屈折率を差し引くと、０．１５未満の大きさになる、請求項１９に記載のディスプレイ。
【請求項２１】
前記信号ラインのグリッドは、ゲートラインを含み、前記薄膜トランジスタは、ゲートを有し、前記ゲートラインは、前記ゲートに接続され、前記信号ラインは、金属を含み、そして前記ブラックマスクは、金属酸化物を含む、請求項１８に記載のディスプレイ。
【発明の詳細な説明】
【技術分野】
【０００１】
本発明は、一般的に、ディスプレイに関するもので、より詳細には、液晶ディスプレイのようなディスプレイに関する。
【０００２】
（関連出願の相互参照）
本出願は、２０１０年６月１０日に出願された米国特許出願第１２／８１３，４５８号の優先権を主張するもので、この出願は、参考としてここに援用される。
【背景技術】
【０００３】
電子装置では画像を表示するためにディスプレイが広く使用される。液晶ディスプレイのようなディスプレイは、画像ピクセルのアレイに関連した液晶材料をコントロールすることにより画像を表示する。典型的な液晶ディスプレイは、カラーフィルタ層と、偏光層間に形成された薄膜トランジスタ層とを有する。カラーフィルタ層は、ピクセルのアレイを有し、各ピクセルは、異なるカラーのカラーフィルタサブピクセルを含む。薄膜トランジスタ層は、薄膜トランジスタ回路のアレイを含む。薄膜トランジスタ回路は、サブピクセルにより発生される光の量をコントロールするためにサブピクセルごとに個々に調整することができる。ディスプレイの各層を通過する光を発生するためにバックライトのような光源が使用される。
【０００４】
カラーフィルタ層と薄膜トランジスタ層との間には液晶材料層が介在される。動作中、薄膜トランジスタ層の回路が、薄膜トランジスタ層の電極アレイに信号を与える。これらの信号は、液晶層に電界を発生する。電界は、液晶層の液晶材料の配向をコントロールして、偏光に対する液晶材料の影響を変化させる。
【０００５】
ディスプレイの頂部には上部偏光子（upper polarizer）が形成され、ディスプレイの底部には下部偏光子（lower polarizer）が形成される。光がディスプレイを通過するとき、液晶層の電界を調整して、ディスプレイに表示される画像をコントロールする。
【０００６】
液晶ディスプレイの液晶層は、自然複屈折を示す。複屈折層では、層の屈折率が到来光の偏光の関数として変化する。補償しないままにすると、ディスプレイの液晶層の複屈折が軸ずれ画質に悪影響を及ぼし、それ故、視角を制限することになる。
【０００７】
軸ずれ表示性能は、液晶ディスプレイに複屈折補償層を含ませることで改善できる。この補償層は、典型的に、下部偏光子と薄膜トランジスタ層との間に配置されるものであるが、液晶層の作用を打ち消す複屈折特性を有する。複屈折補償層は、多くの場合、ポリマー化液晶で形成され、約１．５ないし１．８の屈折率を示す。
【０００８】
信号は、信号ラインのグリッドを使用して、薄膜トランジスタ層の電極に印加される。信号ラインは、ゲートライン及びデータラインの直交セットを含む。ゲートラインは、電極へ信号を駆動する薄膜トランジスタのゲートに接続される。データラインは、電源電圧を分配する。
【０００９】
薄膜トランジスタ層の電極は、一般的に、インジウムスズ酸化物のような透明な導電性材料で形成される。この電極は、導電性であり、液晶層の関連画像ピクセル領域に電界を掛けるのに使用される。この電極は、透明であり、画像ピクセル領域を通過する光が電極の存在により遮られることはない。
【００１０】
薄膜トランジスタ層の信号ラインが、薄膜トランジスタ及びその関連電極に信号を効果的に分配するに充分なほど導電性あることを保証するために、信号ラインは、一般的に、金属で形成される。金属は、インジウムスズ酸化物のような透明な導電性材料より導電率が充分に高く、薄膜トランジスタ層上の薄膜トランジスタ及び電極へコントロール信号を分配するのに使用したときに満足なものである。
【００１１】
しかしながら、金属を使用して液晶ディスプレイに信号ラインのグリッドを形成する場合には、光学的な干渉のため目障りにも目に見えるアーティファクトを招くことになる。カーテンムラ(curtain mura)とも称されるこれらのアーティファクトは、モアレ効果から生じる。複屈折補償膜のようなグリッドラインの下には高屈折率材料が存在するために、グリッドラインの下に屈折率不連続部が生じる。この不連続部は、グリッドラインの下面の画像を観察者に向けて反射する反射界面を形成する。グリッドライン、及びグリッドラインの下面の反射画像のパターンは、互いに光学的に干渉して、ディスプレイのユーザに見える望ましからぬモアレパターンを招く。グリッドラインのピッチが小さくても（例えば、数十ミクロン）、モアレパターンにおける暗い線及び明るい線の帯は、巾が１ｃｍ以上となり、それ故、ディスプレイ上の画像を見分けるユーザの能力を著しく妨げることになる。
【００１２】
それ故、最小のカーテンムラしか示さないディスプレイのような改良されたディスプレイを提供できることが望まれる。
【発明の概要】
【００１３】
液晶ディスプレイのようなディスプレイは、上部及び下部偏光子を有する。ディスプレイは、カラーフィルタ層及び薄膜トランジスタ層を有する。これらカラーフィルタ層及び薄膜トランジスタ層は、上部偏光子と下部偏光子との間に配置される。
【００１４】
カラーフィルタ層と薄膜トランジスタ層との間には液晶層が介在される。薄膜トランジスタ層の薄膜トランジスタと透明電極とを使用して、液晶層に電界パターンを印加する。
【００１５】
信号ラインのグリッドを使用して、薄膜トランジスタに信号を分配する。信号ラインのグリッドは、金属のような輝きのある材料で形成される。信号ラインの下面からの反射を最小にするために、パターン化された黒いマスクが信号ラインのグリッドと薄膜トランジスタ層との間に介在される。このように、信号ラインの反射を減少することは、カーテンムラを最小にする上で助けとなる。
【００１６】
又、薄膜トランジスタ層の下の膜に屈折率の大きな不連続部がないように保証することでも、カーテンムラを最小にすることができる。ディスプレイは、上部偏光子とカラーフィルタ層との間に配置された第１の光学的膜層と、薄膜トランジスタ層と下部偏光子との間に配置された第２の光学的膜層とを有する。薄膜トランジスタ層の下の領域における反射誘起界面は、複屈折補償層のような高屈折率層を、第２の光学的膜層において薄膜トランジスタ層の下に配置するのではなく、第１の光学的膜層においてカラーフィルタの上に配置するように保証することにより、回避される。
【００１７】
本発明の更に別の特徴、その性質及び種々の効果は、添付図面、及び好ましい実施形態の以下の詳細な説明から明らかとなるであろう。
【図面の簡単な説明】
【００１８】
【図１】本発明の一実施形態によりカーテンムラを減少する構造体が設けられた形式の液晶ディスプレイのような例示的ディスプレイの断面側面図である。
【図２】本発明の一実施形態により画像ピクセルに信号を分配する上で信号ラインのグリッドをどのように使用するか示すディスプレイの上面図である。
【図３】本発明の一実施形態により液晶ディスプレイのようなディスプレイの薄膜トランジスタ及び電極構造体をコントロールする上でデータライン及びゲートラインのような信号ラインのグリッドをどのように使用するか示す画像ピクセルの部分概略上面図である。
【図４】信号ラインのパターンと信号ラインのパターンの反射画像との間の光学的干渉からカーテンムラがどのように生じるか示す従来のディスプレイの一部分の断面側面図である。
【図５】本発明の一実施形態によりディスプレイのカーテンムラを最小にする上で使用される構造及び層構成を示す液晶ディスプレイのようなディスプレイの断面図である。
【発明を実施するための形態】
【００１９】
ディスプレイは、電子装置に広く使用されている。例えば、ディスプレイは、コンピュータモニタ、ラップトップコンピュータ、メディアプレーヤ、セルラー電話、テレビジョン、及び他の装置に使用される。ディスプレイは、プラズマ技術、有機発光ダイオード技術、液晶構造、等に基づく。
【００２０】
液晶ディスプレイは、低電力消費及び良好な画質を示すので、普及している。液晶ディスプレイ構造は、一例としてここに説明するものである。
【００２１】
図１は、例示的な液晶ディスプレイの断面側面図である。図１に示すように、ディスプレイ１０は、カラーフィルタ（ＣＦ）層１２及び薄膜トランジスタ（ＴＦＴ）層１４を備えている。カラーフィルタ層１２は、カラーフィルタ素子のアレイを含む。典型的な構成では、層１２の各ピクセルは、３色ピクセル（例えば、赤、緑及び青のサブピクセル）を含む。液晶（ＬＣ）層１６は、液晶材料を含み、カラーフィルタ層１２と薄膜トランジスタ層１４との間に介在される。薄膜トランジスタ層１４は、液晶層１６に印加される電界をコントロールするための薄膜トランジスタ、キャパシタ及び電極のような電気的コンポーネントを含む。カラーフィルタ層１２、液晶層１６及び薄膜トランジスタ層１４の上下には、光学的膜層１８及び２０が形成される。光学的膜１８及び２０は、１／４波長プレート、半波長プレート、拡散膜、光学的接着剤、及び複屈折補償層のような構造を含む。
【００２２】
ディスプレイ１０は、上部及び下部偏光層２２及び２４を有する。バックライト２６は、ディスプレイ１０の背面を照明する。バックライト２６は、発光ダイオードのストリップのような光源を含む。又、バックライト２６は、光ガイドプレート及び背面反射器も含む。背面反射器は、光が漏れるのを防止するために光ガイドパネルの下面に配置される。光源からの光は、光ガイドパネルの縁に注入され、ディスプレイ１０を通して方向２８に上方に散乱する。
【００２３】
ディスプレイ１０の層にはタッチセンサ構造体が合体される。典型的なタッチセンサ構成では、インジウムスズ酸化物のような透明な導電性材料を使用して容量性タッチセンサ電極のアレイが具現化される。必要に応じて、他のタッチ技術が使用されてもよい（例えば、抵抗性タッチ、音響タッチ、光学的タッチ、等）。
【００２４】
白黒ディスプレイでは、カラーフィルタ層１２を省略することができる。カラーディスプレイでは、カラーフィルタ層１２を使用して、画像ピクセルのアレイにカラーを与えることができる。各画像ピクセルは、例えば、３つの対応する液晶ダイオードサブピクセルを有する。各サブピクセルは、カラーフィルタアレイの個別のカラーフィルタ素子に関連している。カラーフィルタ素子は、例えば、赤（Ｒ）カラーフィルタ素子、青（Ｂ）カラーフィルタ素子、及び緑（Ｇ）カラーフィルタ素子を含む。各サブピクセルを通る光透過量をコントロールすることにより、望ましいカラー画像を表示することができる。
【００２５】
各サブピクセルを透過する光の量は、コントロール回路及び電極を使用してコントロールすることができる。各サブピクセルには、例えば、透明なインジウムスズ酸化物電極が設けられる。液晶層の関連部分を通して電界をコントロールし、ひいては、サブピクセルの光透過をコントロールする電極の信号が、薄膜トランジスタを使用して印加される。ディスプレイにおけるサブピクセルのアレイの回路は、信号ラインのグリッドを使用してコントロールされる。図２に示すように、カラーサブピクセルＲ、Ｇ、及びＢのアレイは、ライン３０及び３２の直交セットで構成された信号ラインのグリッドを使用してコントロールされる。
【００２６】
ライン３０は、データラインとも称され、ピクセルアレイに電源電圧を分配するのに使用される。ライン３２は、ゲートラインとも称され、薄膜トランジスタのアレイにゲートコントロール信号を分配するのに使用される。例えば、ディスプレイの各電極により発生される電界をコントロールするために各薄膜トランジスタが設けられる。各電極は、赤サブピクセルＲ、緑サブピクセルＧ又は青サブピクセルＢ（又は他の適当なカラーフィルタ素子）に関連付けられる。図２に示すように、各カラーフィルタ素子及び液晶材料の関連セルの巾はＬ１であり、そして各カラーフィルタ素子及び液晶材料の関連セルの高さは約３Ｌ１である（一例として）。
【００２７】
図３は、ディスプレイ１０における例示的画像ピクセル（サブピクセル）の図である。図３に示すように、ピクセル３４は、キャパシタ３６、ピクセル電極３８、及び薄膜トランジスタ４０を有する。トランジスタ４０は、ゲートライン３２によりコントロールされるゲートと、データライン３０、キャパシタ３６及び電極３８に結合された端子とを有する。必要に応じて、他のピクセル回路が使用されてもよい。図３の構成は、例示に過ぎない。
【００２８】
信号ライン３０及び３２は、金属（例えば、銅）のような高導電性材料で形成される。金属のような高導電性材料を使用して信号ライン３０及び３２を形成することは、ライン３０及び３２が薄膜トランジスタ４０及び電極３８に信号を有効に分配できることを保証する。
【００２９】
しかしながら、金属は、反射の（輝く）傾向があり、光学的な干渉のため目障りな目に見えるアーティファクトを発生する危険を招く。カーテンムラ(curtain mura)とも称されるこれらアーティファクトは、注意しないと、ディスプレイ１０上の画像の妨げになる。
【００３０】
カーテンムラは、モアレ効果の結果である。データライン３０は、互いに平行に延び、規則的な間隔（例えば、１０−１００ミクロン）で離間される。同様に、ゲートライン３２も、規則的な間隔（例えば、３０−３００ミクロン）で離間される。信号ライン（ライン３０及び３２）のグリッド、及び信号ラインのグリッドの反射は、潜在的に互いに干渉して、目障りなモアレパターン（カーテンムラ）を生じさせる。
【００３１】
図４は、カーテンムラがどのように生じるか示す従来のディスプレイの断面図である。図４に示すように、ディスプレイ４０は、上部光学的層４４及び下部光学的層４６を有する。上部光学的層４４は、光学的膜の頂部に形成された上部偏光子、及びカラーフィルタ層を含む。下部光学的層４６は、光学的膜の頂部に形成された薄膜トランジスタ層、及び下部偏光子層を含む。光学的層４４と４６との間に液晶層６０が介在される。
【００３２】
信号ライン４８（例えば、データライン又はゲートライン）は、距離Ｌ１だけ分離される。ライン４８よりｄ１／２の距離だけ下に反射界面５０が存在する。この界面５０は、複屈折補償膜の上面を表わす。補償膜は、最大屈折率が約１．８ないし２．０である。薄膜トランジスタ層に通常使用されるガラス基板のような隣接層は、典型的に、この最大値から０．２以上異なる屈折率値を有する。例えば、薄膜トランジスタ層の典型的なガラス基板の屈折率は、約１．４５ないし１．５５である。
【００３３】
薄膜トランジスタ層と補償層との間の大きな屈折率差（＞０．２）が反射界面５０を生じさせる。反射界面５０は、次いで、ライン４８の反射画像（即ち、図４の反射５２）を発生する。界面５０の深さがｄ１／２である場合には、ライン４８の反射画像５２は、図４に示すように、ｄ１の深さに位置される。
【００３４】
方向４２にディスプレイ４０を見る観察者ＯＢＳは、ラインの２つのパターンを見る。ラインの第１のパターンは、直接観察されるライン４８に対応するもので、界面５０から反射しない光線５６のような光線によって搬送される。ラインの第２のパターンは、ライン４８の下の反射画像（即ち、画像パターン５２）に対応するものである。ラインの第２のパターンの原点は、反射光線５８によって例示されている。画像ライン５２の有効間隔は、ライン５２と観察者との間の距離が、ライン４８と観察者との間より大きいために、Ｌ１より小さい。
【００３５】
観察者の観点から、ラインの両パターンが存在する。モアレ効果のために、モアレ干渉パターンが観察される。この干渉パターンは、望ましくないものであり、ディスプレイ４０により提示される画像の画質を低下させる。
【００３６】
界面５０の深さｄ１／２が０．４ｍｍであり、Ｌ１が３０ミクロンであり、ディスプレイ４０の層の平均屈折率１．４８であり、そしてディスプレイ４０の表面と観察者ＯＢＳとの間の距離が１００ｍｍである場合には、干渉パターンが、式１で与えられる周期性Ｌを有する（即ち、この例では、約１０ｍｍ）。
Ｌ＝１．４８×(１００ｍｍ)×(３０ミクロン)／(０．４ｍｍ)              （１）
従来のディスプレイは、信号ライン４８をカバーし且つ方向４２における見易さを低下させるブラックマスクパターン（図４のグリッド形状のブラックマスク５４）を含む。又、従来のディスプレイは、時々、カーテンムラを減少する試みにおいてラインを不鮮明にするために漠然として接着剤の層のような拡散層も含む。しかしながら、従来のブラックマスクは、一般的に、カーテンムラを防止することができず、そして拡散層は、コントラストを低下させ、直射日光の浸食作用をディスプレイに受けさせる傾向がある。
【００３７】
従来のディスプレイのこれらの欠点は、図５に示す形式のディスプレイを使用して対処される。図５に示すように、ディスプレイ１０は、カラーフィルタ層１２と薄膜トランジスタ層１４との間に配置された層１６のような液晶層を有する。この層１６は、厚みＺが約４ミクロンである（一例として）。薄膜トランジスタ層１４に信号ライン６６が形成される。この信号ライン６６は、データライン３０及びゲートライン３２（図２）のようなラインがグリッドパターンで配列されたものである。信号ライン６６は、金属又は他の導電性材料で形成される。信号ライン６６の信号は、図３に示す形式の回路を使用して液晶層１６の画像ピクセルセルに課せられる電界のパターンをコントロールし、ディスプレイ１０に望ましい画像を生成するのに使用される。パターン化されたブラックマスク層６４は、信号ライン６６をカバーし、それにより、信号ライン６６の上面がディスプレイ１０の前面を通して見えるのを阻止するのに使用される。
【００３８】
ディスプレイ１０のバックライトは、バックライト２６により形成される。ディスプレイ１０は、上部偏光子２２のような上部偏光子、及び下部偏光子２４のような下部偏光子を含む。上部偏光子２２とカラーフィルタ層１２との間には光学的膜１８が配置される。薄膜トランジスタ層１４と下部偏光子２４との間には光学的膜２０が配置される。偏光子２２及び２４は、ポリビニルアルコールの層で形成される（一例として）。偏光子層２２及び２４の典型的な屈折率は、約１．５である。カラーフィルタ層１２及び薄膜トランジスタ層１４は、ガラス基板を使用して形成され（一例として）、各々、屈折率は、約１．４５ないし１．５５である。
【００３９】
ディスプレイ１０が満足な視角を示すことを保証するために、ディスプレイ１０には、ポリマー化液晶膜のような複屈折補償膜が設けられる。この補償膜は、約１．５の普通の屈折率、及び１．８の顕著な屈折率を示す（一例として）。１．８の屈折率値（補償膜層の最大屈折率）は、層１４の屈折率（約１．５）とは著しく異なるので、補償膜が層１４の下に配置された場合には図４の界面５０のような反射界面を生成するおそれがある。ディスプレイ１０における界面５０のような顕著な反射界面の生成を回避するために、補償膜は、薄膜トランジスタ層１４の上に配置されるのが好ましい。図５に示すように、例えば、複屈折補償層は、層６２として光学的層１８に合体される。この補償層６２は、１枚以上の個々の膜として具現化され、そして適当な材料を使用することができる（例えば、ポリマー化液晶、他の複屈折材料、等）。
【００４０】
補償層を層１８に配置することにより、薄膜トランジスタ層１４の下から生じる反射の量が減少され又は排除される。（図４の従来のディスプレイに反射５２として示された）信号ライン６６の反射画像の強度が減少されるので、カーテンムラが最小にされる。
【００４１】
図５に層６２で示された場所に複屈折補償層が配置されると、層１４の下に残留する高屈折率材料がなくなる（即ち、光学的膜２０は、複屈折膜を含まず、又は弱い複屈折膜しか含まず、そして屈折率が約１．７５又は１．８より大きい膜は含まない）。図５に示すように、この構成では、膜２０は、０．１５以下（又は０．２又は他の適当なスレッシュホールド値以下）の層１４の屈折率に対して屈折率差Δｎを有する非複屈折又は弱複屈折の光学的膜を表わす。光学的膜層２０に等方性又は複屈折補償膜がないこの形式の構成は、層２０の埋設反射界面（即ち、図４の従来のディスプレイ４０の反射界面５０に関連して述べた形式の界面）の反射率が０．２％未満であることを保証する。
【００４２】
又、カーテンムラ効果は、信号ライン６６の下面が見えないようにすることにより最小にすることもできる。信号ライン６６は、金属のような輝きのある材料から形成される。ライン６６の輝きのある下面は、注意しないと、図４の反射５２に関連して述べたように、層２０内からの反射の形態で見える。ライン６６の輝きのある下面は、信号ライン６６の下に見難い構造体を含ませることで少なくとも部分的に見えないようにすることができる。図５に示したように、例えば、光遮断構造体６８がライン６６の下に形成される。この光遮断構造体６８は、酸化金属（例えば、黒く見える酸化クロム）、黒いインク、他のブラックマスク、等から形成される。構造体それ自体が見えないようにするために、構造体６８は、輝きのない（マット）物質で形成され、それ故、ここでは、ブラックマスク構造体又はブラックマスクとも称される。
【００４３】
薄膜トランジスタ層１４は、ガラス基板のような透明な基板を有する。ガラス基板の下面は、膜２０の上面と整列される。図５の破線７０で示されたガラス基板の上面は、図３に示す形式の画像ピクセル構造体（例えば、信号ライン、等）をサポートするのに使用される。
【００４４】
信号ライン６６と、層１４の透明ガラス薄膜トランジスタ基板の面７０との間、或いはディスプレイ１０内の他の適当な位置には、ブラックマスク構造体６８が形成され、これは、ライン６６の輝きのある下面を遮り、そしてライン６６の下面が薄膜トランジスタ層２０の下の反射界面から反射の形態で見えるのを阻止する。１つの適当な構成では、ブラックマスク６８は、層１４のガラス基板に形成され、そしてライン６６は、ホトリソグラフィック技術を使用してブラックマスク６８の頂面に堆積されパターン化される。ライン６６は、典型的に、グリッドに配列されたデータライン３０及びゲートライン３２を含み、そしてブラックマスク６８は、一致するグリッド形状を有するのが好ましい。
【００４５】
必要に応じて、ブラックマスク構造体６８は、層２０内に複屈折補償層を含むディスプレイに使用されてもよい。この形式の構成では、図４の界面５０のような反射界面が存在するが、ブラックマスク６８の存在により、信号ライン６６の下面が視野から隠され、ディスプレイ１０の表面を通してユーザに向けて反射されることはない。
【００４６】
補償層６２がカラーフィルタ層１２の上に配置されて層２０が層１４に対して０．１５未満の屈折率差をもつことを保証し、そしてブラックマスク６８が存在する図５の例示的構成のような構成では、カーテンムラの抑制が一般的に最大にされる。
【００４７】
一実施形態によれば、透明な薄膜トランジスタ基板を有する薄膜トランジスタ層と、薄膜トランジスタ基板上の信号ラインのグリッドと、その信号ラインのグリッドと薄膜トランジスタ基板との間のパターン化されたブラックマスクと、を備えたディスプレイが提供される。
【００４８】
別の実施形態によれば、カラーフィルタ層と、このカラーフィルタ層と信号ラインのグリッドとの間に介在された液晶層も備えたディスプレイが提供される。
【００４９】
別の実施形態によれば、液晶層とカラーフィルタ層との間に配置された付加的なブラックマスクも備えたディスプレイが提供される。
【００５０】
別の実施形態によれば、第１の偏光子と、第２の偏光子と、第１の偏光子とカラーフィルタ層との間に配置された第１の光学的膜層と、第２の偏光子と薄膜トランジスタ層との間に配置された第２の光学的膜層も備えたディスプレイが提供される。
【００５１】
別の実施形態によれば、第１の光学的膜層が複屈折補償層を含むディスプレイが提供される。
【００５２】
別の実施形態によれば、第１の光学的膜層が複屈折補償層を含み、そして第２の光学的膜層には複屈折補償層がないディスプレイが提供される。
【００５３】
別の実施形態によれば、第１の光学的膜層が複屈折補償層を含み、第２の光学的膜層は、最大屈折率を特徴とし、第２の偏光子と薄膜トランジスタ層との間には、屈折率が最大屈折率より大きい膜がなく、薄膜トランジスタ基板層は、屈折率を特徴とし、第２の光学的膜層の最大屈折率から薄膜トランジスタ基板層の屈折率を差し引くと、０．１５未満の大きさとなるディスプレイが提供される。
【００５４】
別の実施形態によれば、下部偏光子と、その下部偏光子と薄膜トランジスタ基板との間に介在された光学的膜層も備え、その光学的膜層は、最大屈折率を特徴とし、薄膜トランジスタ基板は、屈折率を特徴とし、光学的膜層の最大屈折率から薄膜トランジスタ基板の屈折率を差し引くと、０．１５未満の大きさとなるディスプレイが提供される。
【００５５】
別の実施形態によれば、下部偏光子に隣接してバックライトも備えたディスプレイが提供される。
【００５６】
別の実施形態によれば、カラーフィルタ層と、そのカラーフィルタ層と信号ラインのグリッドとの間に介在された液晶層も備えたディスプレイが提供される。
【００５７】
別の実施形態によれば、下部偏光子と、薄膜トランジスタ層と下部偏光子との間の光学的膜層も備え、その光学的膜層は、薄膜トランジスタ層から下部偏光子に向かって通過する光に対して０．２％未満の反射率を示すディスプレイが提供される。
【００５８】
別の実施形態によれば、カラーフィルタ層と、このカラーフィルタ層と信号ラインのグリッドとの間に介在された液晶層も備えたディスプレイが提供される。
【００５９】
別の実施形態によれば、下部偏光子に隣接するバックライトと、上部偏光子も備え、その上部偏光子と液晶層との間にはカラーフィルタ層が介在されたディスプレイが提供される。
【００６０】
別の実施形態によれば、上部偏光子とカラーフィルタ層との間に複屈折補償層も備えたディスプレイが提供される。
【００６１】
一実施形態によれば、上部偏光子と、カラーフィルタ層と、薄膜トランジスタ層と、そのカラーフィルタ層と薄膜トランジスタ層との間に介在された液晶材料層と、下部偏光子と、上部偏光子とカラーフィルタ層との間に介在され且つ複屈折補償層を含む第１の光学的膜層と、下部偏光子と薄膜トランジスタ層との間に介在された第２の光学的膜層と、を備え、第２の光学的膜層は、最大屈折率を特徴とし、下部偏光子と薄膜トランジスタ層との間には、屈折率が最大屈折率より大きい膜がなく、薄膜トランジスタ基板層は、屈折率を特徴とし、第２の光学的膜層の最大屈折率から薄膜トランジスタ基板層の屈折率を差し引くと、０．１５未満の大きさとなるディスプレイが提供される。
【００６２】
別の実施形態によれば、下部偏光子と薄膜トランジスタ層との間には複屈折膜がなく、下部偏光子に隣接してバックライトも含むディスプレイが提供される。
【００６３】
別の実施形態によれば、薄膜トランジスタ層は、ガラス基板を含み、ディスプレイは、データライン及びゲートラインを含む信号ラインのグリッドと、この信号ラインのグリッドとガラス基板との間のパターン化されたブラックマスクも備え、そのパターン化されたブラックマスクは、信号ラインのグリッドと整列されるディスプレイが提供される。
【００６４】
一実施形態によれば、薄膜トランジスタのアレイを含む薄膜トランジスタ層と、カラーフィルタ層と、このカラーフィルタ層と薄膜トランジスタ層との間に介在された液晶層と、薄膜トランジスタに信号を分配する信号ラインのグリッドと、この信号ラインのグリッドと薄膜トランジスタ層との間に介在されたブラックマスクとを備えたディスプレイが提供される。
【００６５】
別の実施形態によれば、上部偏光子と、この上部偏光子とカラーフィルタ層との間に介在され且つ複屈折補償層を含む第１の光学的膜層も備えたディスプレイが提供される。
【００６６】
別の実施形態によれば、下部偏光子と、この下部偏光子と薄膜トランジスタ層との間に介在された第２の光学的膜層も備え、この第２の光学的膜層は、最大の屈折率を特徴とし、下部偏光子と薄膜トランジスタ層との間には屈折率がその最大屈折率より大きい膜がなく、薄膜トランジスタ層は、屈折率を特徴とし、第２の光学的膜層の最大屈折率から薄膜トランジスタ層の屈折率を差し引くと、０．１５未満の大きさになるディスプレイが提供される。
【００６７】
別の実施形態によれば、信号ラインのグリッドは、ゲートラインを含み、薄膜トランジスタは、ゲートを有し、ゲートラインは、ゲートに接続され、信号ラインは、金属を含み、そしてブラックマスクは、金属酸化物を含むディスプレイが提供される。
【００６８】
以上、本発明の原理を例示したが、当業者であれば、本発明の精神及び範囲から逸脱せずに種々の変更が明らかであろう。以上の実施形態は、ここに具現化されてもよいし、又は任意の組み合わせで具現化されてもよい。
【符号の説明】
【００６９】
１０：ディスプレイ
１２：カラーフィルタ層
１４：薄膜トランジスタ（ＴＦＴ）層
１６：液晶層
１８、２０：光学的膜
２２：上部偏光子（upper polarizer）
２４：下部偏光子（lower polarizer）
２６：バックライト
３０：データライン
３２：ゲートライン
３４：ピクセル
３６：キャパシタ
３８：ピクセル電極
４０：薄膜トランジスタ
４４：上部光学的層
４６：下部光学的層
４８：信号ライン
５０：反射界面
５２：ラインの反射画像
５４：ブラックマスク
５６：光線
５８：反射光線
６０：液晶層
６２：複屈折補償層
６６：信号ライン
６８：ブラックマスク構造体
７０：面
【図１】
2013537639.tif 000003
【図２】
2013537639.tif 000004
【図３】
2013537639.tif 000005
【図４】
2013537639.tif 000006
【図５】
2013537639.tif 000007
【国際調査報告】
2013537639.tif 000008
2013537639.tif 000009
2013537639.tif 000010
2013537639.tif 000011
2013537639.tif 000012